(57)【要約】【課題】薬剤の投与間隔の適切な確保を容易とすることができる携帯用ケースを提供すること。【解決手段】薬剤供給具４を収納保持するための収納保持部５を具備した携帯用ケースであって、閉状態から開状態への変更若しくは収納保持部からの薬剤供給具の取出しの何れかである開始動作と、開状態から閉状態への変更若しくは収納保持部に対する薬剤供給具のセットの何れかである終了動作とを検知するための検知手段８と、検知手段が開始動作を検知してから所定時間内に終了動作を検知せず、その後に終了動作を検知した場合、この終了動作の検知をトリガとして計時を開始し、経過時間をディスプレイに表示するための制御部とを具備し、制御部は、計時開始後における検知手段による開始動作の検知時から所定時間内に検知手段が終了動作を検知しなければ、その後の検知手段による終了動作の検知をトリガとして計時結果をリセットした状態から計時を再開する。【選択図】図２
2014079483.tif 000002
【特許請求の範囲】
【請求項１】
薬剤の収容または投与に用いられる薬剤供給具を収納保持するための収納保持部を具備し、前記収納保持部が開放された開状態と閉塞された閉状態とに変更可能であり、前記収納保持部に対する前記薬剤供給具の着脱は、前記開状態で可能である携帯用ケースであって、
前記閉状態から前記開状態への変更若しくは前記収納保持部からの前記薬剤供給具の取出しの何れかである開始動作と、前記開状態から前記閉状態への変更若しくは前記収納保持部に対する前記薬剤供給具のセットの何れかである終了動作とを検知するための検知手段と、
前記検知手段が前記開始動作を検知してから所定時間内に前記終了動作を検知せず、その後に前記終了動作を検知した場合、この終了動作の検知をトリガとして計時を開始し、経過時間をディスプレイに表示するための制御部とを具備し、
前記制御部は、計時開始後における前記検知手段による前記開始動作の検知時から所定時間内に前記検知手段が前記終了動作を検知しなければ、その後の前記検知手段による前記終了動作の検知をトリガとして計時結果をリセットした状態から計時を再開するように構成してあり、
前記薬剤の投与間隔を確保するために用いられることを特徴とする携帯用ケース。
【請求項２】
前記薬剤の投与間隔を確保するために、前記制御部には投与禁止時間が設定され、前記制御部が計時を開始してから前記投与禁止時間が満了するまでの間に、前記検知手段が前記開始動作を検知し、この検知時から一定時間内に前記検知手段が前記終了動作を検知しなければ、前記制御部は警告手段を介して警告を発するように構成してある請求項１に記載の携帯用ケース。
【請求項３】
前記制御部に対して前記投与禁止時間を設定するための設定部を具備した請求項２に記載の携帯用ケース。
【請求項４】
前記開状態と前記閉状態の切換えを行うカバー体を含み、該カバー体外面に前記ディスプレイが設けられている請求項１〜３の何れか一項に記載の携帯用ケース。
【請求項５】
前記薬剤供給具がインスリン注射器である請求項１〜４の何れか一項に記載の携帯用ケース。
【発明の詳細な説明】
【技術分野】
【０００１】
この発明は、例えば、注射器（注入器）、薬剤容器、吸入器等の薬剤供給具を収納し、薬剤の投与間隔を確保するために用いられる携帯用ケースに関する。
【背景技術】
【０００２】
糖尿病治療のためのインスリン注射を自身で行う患者が、既にインスリン注射を行っていることを忘れて計二回のインスリン注射を食前に行ってしまうと、規定量の２倍のインスリンが体内に投与されてしまい、極度の低血糖状態となって重大な事故につながる恐れがある。同様に、「６時間以上あけて服用してください」といった注意書きが薬袋等に記載されるような薬剤を患者が誤って時間をあけず服用してしまうと、薬剤の過剰（過量）投与となって強い副作用の生じる恐れがある。
【先行技術文献】
【特許文献】
【０００３】
【特許文献１】特開平１０−３３６３９号公報
【発明の概要】
【発明が解決しようとする課題】
【０００４】
特許文献１に開示された医薬用時間報知容器は、ブザーや音声で服用時間が来たことを報知するものであり、薬の飲み忘れを防止する効果がある。しかし、この医薬用時間報知容器には、上記のような薬剤の過剰投与の防止を期待することはできず、タイマーのセット等を毎回しなければ報知が行われないという欠点もある。
【０００５】
本発明は上述の事柄に留意してなされたもので、その目的は、薬剤の投与間隔の適切な確保を容易とすることができる携帯用ケースを提供することにある。
【課題を解決するための手段】
【０００６】
上記目的を達成するために、本発明に係る携帯用ケースは、薬剤の収容または投与に用いられる薬剤供給具を収納保持するための収納保持部を具備し、前記収納保持部が開放された開状態と閉塞された閉状態とに変更可能であり、前記収納保持部に対する前記薬剤供給具の着脱は、前記開状態で可能である携帯用ケースであって、前記閉状態から前記開状態への変更若しくは前記収納保持部からの前記薬剤供給具の取出しの何れかである開始動作と、前記開状態から前記閉状態への変更若しくは前記収納保持部に対する前記薬剤供給具のセットの何れかである終了動作とを検知するための検知手段と、前記検知手段が前記開始動作を検知してから所定時間内に前記終了動作を検知せず、その後に前記終了動作を検知した場合、この終了動作の検知をトリガとして計時を開始し、経過時間をディスプレイに表示するための制御部とを具備し、前記制御部は、計時開始後における前記検知手段による前記開始動作の検知時から所定時間内に前記検知手段が前記終了動作を検知しなければ、その後の前記検知手段による前記終了動作の検知をトリガとして計時結果をリセットした状態から計時を再開するように構成してあり、前記薬剤の投与間隔を確保するために用いられることを特徴とする（請求項１）。
【０００７】
上記携帯用ケースにおいて、前記薬剤の投与間隔を確保するために、前記制御部には投与禁止時間が設定され、前記制御部が計時を開始してから前記投与禁止時間が満了するまでの間に、前記検知手段が前記開始動作を検知し、この検知時から一定時間内に前記検知手段が前記終了動作を検知しなければ、前記制御部は警告手段を介して警告を発するように構成してあってもよい（請求項２）。
【０００８】
上記携帯用ケースが、記制御部に対して前記投与禁止時間を設定するための設定部を具備していてもよい（請求項３）。
【０００９】
上記携帯用ケースが、前記開状態と前記閉状態の切換えを行うカバー体を含み、該カバー体外面に前記ディスプレイが設けられていていてもよい（請求項４）。
【００１０】
上記携帯用ケースにおいて、前記薬剤供給具がインスリン注射器であってもよい（請求項５）。
【発明の効果】
【００１１】
本願発明では、薬剤の投与間隔の適切な確保を容易とすることができる携帯用ケースが得られる。
【００１２】
すなわち、本願の各請求項に係る発明の携帯用ケースでは、薬剤供給具を収納保持部にセットして閉状態にすれば、ディスプレイに閉状態にしてからの経過時間が自動で表示され、その表示を見ることによって薬剤の直近の投与時間を把握可能であるので、薬剤の投与間隔の適切な確保が容易となる。
【００１３】
請求項２に係る発明の携帯用ケースでは、必要な投与間隔が十分にあいていないときに薬剤を投与しないように警告することができるので、薬剤の投与間隔の適切な確保をより確実に行えるようにすることができる。
【００１４】
請求項３に係る発明の携帯用ケースでは、薬剤によって異なることの方が多い適切な投与間隔に応じて最適な投与禁止時間を容易に設定することができ、様々な薬剤に対応可能となる。
【図面の簡単な説明】
【００１５】
【図１】本発明の一実施の形態に係る携帯用ケースの構成を概略的に示す斜視図である。
【図２】開状態の前記携帯用ケースの構成を概略的に示す斜視図である。
【図３】前記携帯用ケースの構成を概略的に示すブロック図である。
【発明を実施するための形態】
【００１６】
本発明の実施の形態について図面を参照しながら以下に説明する。
【００１７】
本実施の形態に係る携帯用ケースは、図１及び図２に示すように、ケース本体１とカバー体２とを具備し、ヒンジ部３を軸にして開閉する。
【００１８】
図２に示すように、携帯用ケースには、ペン型インスリン注入器（薬剤の収容または投与に用いられる薬剤供給具の一例）４を収納保持するための収納保持部５と、ペン型インスリン注入器４専用のカートリッジ（図示していない）や注射針（図示していない）等を収納可能な収納部６とが設けられている。
【００１９】
図１及び図２から明らかなように、収納保持部５に対するペン型インスリン注入器４の着脱は、収納保持部５が開放された開状態（図２参照）で可能である。
【００２０】
そして、携帯用ケースは、以下に述べる各機能を発揮する。
【００２１】
（１）携帯用ケースは、所定時間（例えば１分）以上開状態となった後に閉状態に変更されると、携帯用ケースが閉状態となったときからの経過時間を、図１に示すように、携帯用ケースの外面（本例ではカバー体２の外面）に設けられたディスプレイ（例えば液晶ディスプレイ）７に表示する（自動計時表示機能）。図１のディスプレイ７には３時間２１分が経過したことが示されている。
【００２２】
この自動計時表示機能の発揮のために、携帯用ケースには、開始動作（閉状態から開状態への変更）及び終了動作（開状態から閉状態への変更）を検知するための検知手段８と、検知手段８が開始動作を検知してから所定時間（例えば１分）内に終了動作を検知せず、その後に終了動作を検知した場合、この終了動作の検知をトリガとして計時を開始し、経過時間をディスプレイ７に表示するための制御部（本例ではマイコン）９とを設けてある（図１〜図３参照）。
【００２３】
ここで、携帯用ケースが所定時間以上開状態となる場合としては、主にインスリンを投与する際に患者が携帯用ケースからペン型インスリン注入器４を取り出し、これを使用（準備も含む）して携帯用ケースに戻すという場合を想定しており、ここでいう所定時間は、ペン型インスリン注入器の使用（準備も含む）に通常かかると考えられる時間を目安として決めればよい。すなわち、この所定時間が短すぎると、ペン型インスリン注入器４を使用せず、例えば携帯用ケースを開けて中身を確認しただけでも自動計時表示機能によってディスプレイ７の時間がリセットされてしまい、逆に所定時間が長すぎると、ペン型インスリン注入器４を使用しても自動計時表示機能が働かず、何れの場合もペン型インスリン注入器４の直近の使用時間（何時間前に使用したか）を正確に把握することができなくなってしまう。所定時間としては、例えば３０秒〜３分とすることができ、この所定時間を携帯用ケースのユーザーによる変更が可能となるように構成してあってもよい。
【００２４】
ディスプレイ７は、高齢者にとっても見やすいように大きな面積を有し、かつ見やすい位置に設けられているのが好ましく、本例では、携帯用ケースを閉状態としたときに外部から最も目に入る上面を形成する外面部分に設けられたディスプレイ７はその外面部分全体の５分の１以上の面積を有している。
【００２５】
本例では、検知手段８として、押されている間だけオンになる自動復帰型スイッチ８ａと、閉状態のときにのみスイッチ８ａを押した状態となる突起８ｂとを用いるのであり、スイッチ８ａをケース本体１側に、突起８ｂをカバー体２側に設けてある。従って、開状態では検知手段８（スイッチ８ａ）はオフになり、カバー体２は開状態と閉状態の切換えを行う手段ともなっている。
【００２６】
制御部９は制御ボックス１０（図２参照）内に収容され、この制御部９に給電するための例えばボタン電池である電源１１（図３参照）も制御ボックス１０内に収容される。
【００２７】
（２）携帯用ケースは、閉状態から開状態に変更され、その状態で所定時間（例えば１分）が経過した場合、次に閉状態となったときにディスプレイ７に表示する時間を０に戻した状態から再び進める（自動リスタート機能）。また、携帯用ケースは、閉状態から開状態に変更され、その状態で所定時間（例えば１分）が経過する前に閉状態に変更された場合は、ディスプレイ７に表示する時間を一度も中断・停止することなく継続して進める。
【００２８】
この自動リスタート機能の発揮のために、計時開始後における検知手段８による開始動作の検知時から所定時間（例えば１分）内に検知手段８が終了動作を検知しなければ、その後の検知手段８による終了動作の検知をトリガとして計時結果をリセットした状態から計時を再開し、所定時間内に検知手段８が終了動作を検知すれば、計時及びディスプレイ７への表示を一度も中断・停止することなく継続するように制御部９を構成してある。
【００２９】
（３）携帯用ケースは、ディスプレイ７に表示する時間が０から（リセットされた状態から）進み始めて投与禁止時間（例えば６時間）が満了（経過）するまでの間に開状態とされた場合、この開状態となった時から一定時間（例えば１５秒）内に閉状態にならなければ、警告を発する（自動警告機能）。
【００３０】
この自動警告機能を発揮するために、制御部９には、投与禁止時間が設定されるのであり、この投与禁止時間は、例えば薬剤の投与間隔に相当する長さとするのが好ましい。また、制御部９が計時を開始してから投与禁止時間（例えば６時間）が満了（経過）するまでの間に、検知手段８が開始動作を検知し、この検知時から一定時間（例えば１５秒）内に検知手段８が終了動作を検知しなければ、制御部９は警告手段１２を介して警告を発するように制御部９を構成してある。
【００３１】
ここで、警告を発する目的は、主に食前におけるインスリン注射の二度打ちを防止することにあり、従って、上記一定時間としては、患者が携帯用ケースからペン型インスリン注入器４を取り出し、そのペン型インスリン注入器４の使用を開始するまでに通常かかると考えられる時間を目安にしてその時間より短くなるように決めるのが好ましい。但し、上記一定時間が短すぎると、ペン型インスリン注入器４を使用せず、例えば携帯用ケースを開けて中身を確認しただけでも警告されてしまい、不快に感じる恐れもある。そこで、一定時間としては、例えば１０秒〜１分とすることができ、この一定時間を携帯用ケースのユーザーによる変更が可能となるように構成してあってもよい。
【００３２】
本例の警告手段１２は、例えばアラームを発生させるための圧電素子であり、カバー体２側に内蔵され、カバー体２において警告手段１２の外面側には、警告手段１２が発生させた音を外部に効率良く伝達するための貫通孔１３が形成されている。
【００３３】
（４）携帯用ケースでは、投与禁止時間の設定が可能となっている（投与禁止時間設定機能）。
【００３４】
この投与禁止時間設定機能を発揮するために、制御ボックス１０には、投与禁止時間を設定するための設定部として、投与禁止時間を入力するためのダイヤル１４と、入力した投与禁止時間を表示するための時間表示窓１５とを形成してある（図２参照）。そして、本例では、時間表示窓１５に所望の投与禁止時間が表示されるようにダイヤル１４を回すと、制御部９はその投与禁止時間をロータリーエンコーダで読み取るように構成してある。
【００３５】
本例の携帯用ケースでは、ペン型インスリン注入器４の使用後にペン型インスリン注入器４を収納保持部５にセットして閉状態にすれば（閉蓋すれば）、自動計時表示機能及び自動リスタート機能により、ディスプレイ７に閉状態にしてからの経過時間が自動で表示され、その表示を見ることによってペン型インスリン注入器４の直近の使用時間を把握可能であるので、食前におけるインスリン注射の二度打ちを効果的に防止することができる。
【００３６】
また、本例の携帯用ケースでは、自動警告機能により、必要な投与間隔が十分にあいていないときにインスリン注射を行わないように警告することができるので、食前におけるインスリン注射の二度打ちをより確実に防止することができる。
【００３７】
さらに、本例の携帯用ケースでは、投与禁止時間設定機能により、薬剤によって異なることの方が多い適切な投与間隔に応じて最適な投与禁止時間を容易に設定することができ、様々な薬剤に対応可能となる。
【００３８】
なお、本発明は、上記の実施の形態に何ら限定されず、本発明の要旨を逸脱しない範囲において種々に変形して実施し得ることは勿論である。例えば、以下のように変形することができる。
【００３９】
上記実施の形態では、携帯用ケースをヒンジカバータイプとしてあるが、これに限らず、例えば、被せ蓋タイプやスライドカバータイプなどであってもよい。
【００４０】
上記実施の形態では、薬剤供給具としてペン型インスリン注入器４を用いているが、これに限らず、注射器、薬剤容器、吸入器（例えば喘息用吸入器）等を薬剤供給具として収納保持部５に収納保持可能となるように携帯用ケースを構成してもよい。
【００４１】
図２には、スイッチ８ａをケース本体１側に、突起８ｂをカバー体２側に設けた例を示しているが、この配置を逆にしてもよい。
【００４２】
上記実施の形態では、検知手段８が携帯用ケースの開閉（開始動作及び終了動作）を検知し、この検知に基づいて制御部９による制御が行われるようにしているが、これに限らず、例えば検知手段８が収納保持部５に対するペン型インスリン注入器４の着脱を検知し、この検知に基づいて制御部９による制御が行われるようにしてもよい。この場合、検知手段８は、例えば、収納保持部５からのペン型インスリン注入器４の取り出しを開始動作として、収納保持部５に対するペン型インスリン注入器４のセットを終了動作として、それぞれ検知するリミットスイッチとすることができる。
【００４３】
電源１１は、ボタン電池以外の電池や、プラグを介して接続される外部電源等であってもよい。
【００４４】
警告手段１２は、ブザーや音声等の聴覚に訴えるもののみに限られず、例えば、ランプ等の視覚に訴えるものやバイブレーション等の触覚に訴えるものであってもよい。
【００４５】
また、投与禁止時間を過ぎたときや、投与禁止時間を過ぎてさらに一定時間を経過したときに、薬剤の投与を促すための警告が警告手段１２を介して行われるようにしてもよい。
【００４６】
図１及び図２に示すように、携帯用カバーには、携帯用カバーが開状態から閉状態になったときに自動的にカバー体２の開口部１６に掛止して閉状態を維持する掛止部材（掛け金）１７が設けられており、この掛止部材１７の前側の操作部１７ａを押すと上記掛止が解除され閉状態から開状態に変更可能となる。そして、例えば、この掛止部材１７に検知手段８を設けるようにしてもよい。また、制御部９が、投与禁止時間には掛止部材１７をソレノイド等を用いてロックして動かないようにし、開状態への変更が不可能となるように構成してもよい。もちろん、掛止部材１７をケース本体１側ではなくカバー体２側に設けるようにしてもよい。
【００４７】
なお、上記変形例どうしを適宜組み合わせてもよいことはいうまでもない。
【符号の説明】
【００４８】
１    ケース本体
２    カバー体
３    ヒンジ部
４    ペン型インスリン注入器
５    収納保持部
６    収納部
７    ディスプレイ
８    検知手段
８ａ  スイッチ
８ｂ  突起
９    制御部
１０    制御ボックス
１１    電源
１２    警告手段
１３    貫通孔
１４    ダイヤル
１５    時間表示窓
１６    開口部
１７    掛止部材
１７ａ  操作部
【図１】
2014079483.tif 000003
【図２】
2014079483.tif 000004
【図３】
2014079483.tif 000005